(57)【要約】【課題】ゼット通水路の封水水面以下の領域の容積が顕著に低減された水洗式大便器を提供すること。【解決手段】本発明は、ボウル形状の汚物受け面を有するボウル部と、前記ボウル部内に洗浄水を吐水する吐水部と、前記汚物受け面の下部に接続された入口管路と、前記入口管路の下流端に接続され上方へ延びた上昇管路及び前記上昇管路の下流端に接続され下方へ延びた下降管路により形成されたトラップ流路と、を有する排水路と、前記トラップ流路の内部へ後方向きに洗浄水を吐水する吐水開口を有するゼット吐水部と、を備え、前記吐水開口は、前記排水路において、前記上昇管路の上面側のみにて開口していることを特徴とする水洗式大便器である。【選択図】図１
2017166155.tif 000002
【特許請求の範囲】
【請求項１】
ボウル形状の汚物受け面を有するボウル部と、
前記ボウル部内に洗浄水を吐水する吐水部と、
前記汚物受け面の下部に接続された入口管路と、前記入口管路の下流端に接続され上方へ延びた上昇管路及び前記上昇管路の下流端に接続され下方へ延びた下降管路により形成されたトラップ流路と、を有する排水路と、
前記トラップ流路の内部へ後方向きに洗浄水を吐水する吐水開口を有するゼット吐水部と、
を備え、
前記吐水開口は、前記排水路において、前記上昇管路の上面側のみにて開口している
ことを特徴とする水洗式大便器。
【請求項２】
前記吐水開口は、前記上昇管路の下面側へ向けて開口している
ことを特徴とする請求項１に記載の水洗式大便器。
【請求項３】
前記吐水開口は、前記上昇管路の上面側における左右方向の一端から他端に亘って形成されている
ことを特徴とする請求項１または２に記載の水洗式大便器。
【請求項４】
前記吐水開口の上下方向の大きさは、５ｍｍ〜８０ｍｍである
ことを特徴とする請求項１乃至３のいずれかに記載の水洗式大便器。
【発明の詳細な説明】
【技術分野】
【０００１】
本発明は、洗浄水により洗浄される水洗式大便器に関する。
【背景技術】
【０００２】
図３は、従来から知られている水洗式大便器の平面図であり、図４は、図３の水洗式大便器の断面図である。
【０００３】
図３及び図４に示す水洗式大便器５０は、ボウル部５８内の水の落差による流水作用で汚物を押し流す洗い落し式便器であり、便器本体５２を備えている。便器本体５２には、洗浄水源である貯水タンク５３を介して、洗浄水が導入されるようになっている。便器本体５２は、表面に釉薬層が形成された陶器製であり、下部にスカート部５６が形成され、上部前方にボウル部５８が形成されている。また、ボウル部５８の後方には、貯水タンク５３の排水口に接続される導水路６０が形成され、さらに、ボウル部５８の後方下部に汚物を排出するための排水路６２が形成されている。
【０００４】
ボウル部５８は、ボウル形状の汚物受け面６６と、汚物受け面６６の上縁部に形成されたリム部６８と、汚物受け面６６の下方に形成された凹部７０と、を備えている。ここで、リム部６８の内周面６８ａは、図４に示すように、内側に向かってオーバーハングした形状となっており、旋回する洗浄水が外部へ飛び出ないようになっている。
【０００５】
図４に示すように、ボウル部５８のリム部６８の内周面の前方から見て右側の後方側に、リム吐水口７４が形成されている。リム吐水口７４は、図３で反時計回りの方向に旋回する旋回流を形成するようになっている。
【０００６】
また、図３及び図４に示すように、ボウル部５８の汚物受け面６６の後方に形成された導水路６０は、リム吐水口７４に洗浄水を供給するリム通水路及びゼット吐水口７８に洗浄水を供給するゼット通水路７６に分岐している。
【０００７】
また、図３及び図４に示すように、排水路６２は、凹部７０の底面と接続し且つ後方下方へ延びる導入管８２によって構成されている。導入管８２は、トラップ流路を有しており、すなわち、凹部７０の下方から後方上方へ延びる流路部分８２ａと、その後に後方下方へ延びる流路部分８２ｂと、を有している。導入管８２は、凹部７０の底面と滑らかな連続湾曲面として繋がっており、凹部７０から導入管８２に流入する洗浄水が当該導入管８２内をスムーズに流れるようになっている。
【０００８】
ゼット吐水口７８は、凹部７０の下方前部に設けられていて、排水路６２のトラップ流路の内部へ後方向きに洗浄水を吐水するようになっている。このため、ゼット通水路７６は、洗浄水供給方向を折り返すための折り返し部７６ｒを有している。
【０００９】
次に、図３及び図４に示す水洗式大便器５０の作用について説明する。
洗浄時、ボウル部５８の汚物受け面６６の後方に形成された導水路６０に、所定量の洗浄水が供給される。当該洗浄水の一部は、リム通水路を介してリム吐水口７４から吐水されてボウル部５８を洗浄し、当該洗浄水の他の一部は、ゼット通水路７６を介してゼット吐水口７８から吐水され、排水路６２のトラップ流路においてサイホン作用を生じさせ、汚物等を排出する。
【００１０】
次に、図５は、他の従来の水洗式大便器の平面図であり、図６は、図５の水洗式大便器の断面図である。
【００１１】
図５及び図６に示す水洗式大便器１５０では、ゼット通水路１７６が、洗浄水供給方向を折り返すための折り返し部１７６ｒを左右対称に一対（２つ）有している。
【００１２】
図５及び図６に示す水洗式大便器１５０のその他の構成については、図３及び図４を用いて説明した水洗式大便器５０と略同様である。図５及び図６において、図３及び図４の水洗式大便器５０と同様の部分については、同様の符号を付している。
【００１３】
また、特許文献１には、洗浄騒音の抑制のためゼット吐水部とは別個の制御吐水部をトラップ排水路入口の内面上壁に設けること、が開示されている。
【００１４】
更に、特許文献２には、サイホン作用の起動をより効果的にするため、ゼット吐水部を補助する洗浄水口がトラップ排水路内の昇り勾配流域に形成されること、が開示されている。
【先行技術文献】
【特許文献】
【００１５】
【特許文献１】特許第４５９５２２２号公報
【特許文献２】特開平６−１７３３２２号公報
【発明の概要】
【発明が解決しようとする課題】
【００１６】
本件発明者は、図３乃至図６に示した従来の水洗式大便器において、ゼット通水路７６、１７６のうち封水水面以下の領域には封水が充満しているが、この容積を減らすことができれば相応の節水効果が得られると考えた。
【００１７】
そこで、本発明の目的は、ゼット通水路の封水水面以下の領域の容積が顕著に低減された水洗式大便器を提供することである。
【課題を解決するための手段】
【００１８】
本発明は、ボウル形状の汚物受け面を有するボウル部と、前記ボウル部内に洗浄水を吐水する吐水部と、前記汚物受け面の下部に接続された入口管路と、前記入口管路の下流端に接続され上方へ延びた上昇管路及び前記上昇管路の下流端に接続され下方へ延びた下降管路により形成されたトラップ流路と、を有する排水路と、前記トラップ流路の内部へ後方向きに洗浄水を吐水する吐水開口を有するゼット吐水部と、を備え、前記吐水開口は、前記排水路において、前記上昇管路の上面側のみにて開口していることを特徴とする水洗式大便器である。
【００１９】
本発明によれば、ゼット吐水部の吐水開口が、トラップ流路の上昇管路の上面側のみにて開口しているため、当該吐水開口に至るゼット通水路の容積を顕著に低減することができる。これにより、顕著な節水効果を得ることができる。
【００２０】
また、汚物は、汚物受け面の底（凹部の底）に沈んで存在していることが多い。このため、従来の構成では、ゼット吐水口から吐水される洗浄水が汚物に衝突することがあり、その際にはサイホン作用の起動に時間がかかっていた。この点、本発明によれば、前記吐水開口から吐水されるゼット吐水が、汚物の抵抗を受けにくいため、短時間でサイホン作用を起動することができる。
【００２１】
吐水開口は、上昇管路の下面側へ向けて（上昇管路の下面側と衝突するような方向に）開口していることが好ましい。この場合、トラップ流路の下面に沿った洗浄水の流れを形成することができ、より短時間でサイホン作用を起動することができる。
【００２２】
また、吐水開口は、トラップ流路の上昇管路の上面側における左右方向の一端から他端に亘って形成されていることが好ましい。この場合、便器本体の前出を抑制しつつ、汚物による抵抗を受けにくい位置から効果的なゼット吐水をすることができる。
【００２３】
好ましくは、吐水開口の上下方向の大きさは、５ｍｍ〜８０ｍｍである。この程度の大きさが十分なゼット吐水のために必要である一方、これを上回る大きさになると、既存の他部材（例えばソケット）との干渉が生じ得る。また、排水性能を維持するためにトラップ流路の断面積を変化させずに吐水開口の上下方向の大きさを８０ｍｍよりも大きくすると、トラップ流路の下面が下がることとなり、封水の容量量増加に繋がる可能性がある。
【発明の効果】
【００２４】
本発明によれば、ゼット吐水部の吐水開口が、トラップ流路の上昇管路の上面側のみにて開口しているため、当該吐水開口に至るゼット通水路の容積を顕著に低減することができる。これにより、顕著な節水効果を得ることができる。また、本発明によれば、前記吐水開口から吐水されるゼット吐水が、汚物の抵抗を受けにくいため、短時間でサイホン作用を起動することができる。
【図面の簡単な説明】
【００２５】
【図１】本発明の一実施形態による水洗式大便器の左右方向中央での断面図である。水洗式大便器の後方側が図１の左側となっており、水洗式大便器の前方側が図１の右側となっており、水洗式大便器の上方側が図１の上側となっており、水洗式大便器の下方側が図１の下側となっている。
【図２】図１のゼット吐水口（吐水開口）の左右方向に延びる平面での断面図であり、図１のII−II線方向に見た図である。水洗式大便器の右方側が図２の右側となっており、水洗式大便器の左方側が図２の左側となっており、水洗式大便器の上方側が図２の上側となっており、水洗式大便器の下方側が図２の下側となっている。
【図３】従来の水洗式大便器の平面図である。
【図４】図３の水洗式大便器の断面図である。
【図５】他の従来の水洗式大便器の平面図である。
【図６】図５の水洗式大便器の断面図である。
【発明を実施するための形態】
【００２６】
次に、添付図面を参照して、本発明の一実施形態による水洗式大便器を説明する。
【００２７】
図１は、本発明の一実施形態による水洗式大便器の断面図であり、図２は、図１のゼット吐水口（吐水開口）の左右方向に延びる平面での断面図である。
【００２８】
図１及び図２に示すように、本実施形態の水洗式大便器１は、ボウル部８内の水の落差による流水作用で汚物を押し流す洗い落し式便器であり、便器本体２を備えている。便器本体２には、洗浄水源である貯水タンク３を介して、洗浄水が導入されるようになっている。便器本体２は、表面に釉薬層が形成された陶器製であり、下部にスカート部６が形成され、上部前方にボウル部８が形成されている。また、ボウル部８の後方には、貯水タンク３の排水口に接続される導水路１０が形成され、さらに、ボウル部８の後方下部に汚物を排出するための排水路１２が形成されている。
【００２９】
ボウル部８は、ボウル形状の汚物受け面１６と、汚物受け面１６の上縁部に形成されたリム部１８と、を備えている。ここで、本実施形態のリム部１８の内周面１８ａは、図１に示すように、内側に向かってオーバーハングした形状となっており、旋回する洗浄水が外部へ飛び出ないようになっている。なお、本発明はリム部の内周面がオーバーハングした形状に限定されるものではなく、リム部の内周面の一部あるいは全部においてオーバーハングしない形状としてもよい。
【００３０】
図１に示すように、ボウル部８のリム部１８の内周面の前方から見て右側の後方側に、リム吐水口２４（吐水部）が形成されている。リム吐水口２４は、上から見て反時計回りの方向に旋回する旋回流を形成するようになっている。
【００３１】
また、図１に示すように、ボウル部８の汚物受け面１６の後方に形成された導水路１０は、リム吐水口２４に洗浄水を供給するリム通水路、及び、後述するゼット吐水口２８に洗浄水を供給するゼット通水路２６に分岐している。
【００３２】
また、図１に示すように、排水路１２は、汚物受け面１６の下部に接続された入口管路２０と、トラップ流路３２と、によって構成されている。トラップ流路３２は、更に、入口管路２０の下流端に接続され上方へ延びた上昇管路３２ａと、当該上昇管路３２ａの下流端に接続され下方へ延びた下降管路３２ｂと、により形成されている。入口管路２０とトラップ流路３２とは、滑らかな連続湾曲面として繋がっており、入口管路２０からトラップ流路３２に流入する洗浄水が当該トラップ流路３２内をスムーズに流れるようになっている。
【００３３】
また、本実施形態の水洗式大便器１には、ゼット吐水部２７が設けられている。そして、その吐水のための吐水開口であるゼット吐水口２８が、トラップ流路３２の内部へ後方向きに洗浄水を吐水するように、排水路１２において上昇管路３２ａの上面側のみにて開口している。より具体的には、ゼット吐水口２８は、トラップ流路の上昇管路３２ａの上面側において、当該上昇管路３２ａの下面側へ向けて（上昇管路３２ａの下面側と衝突するような方向で）開口している。
【００３４】
また、図２に示すように、ゼット吐水口２８は、トラップ流路の上昇管路３２ａの上面側における左右方向の一端から他端に亘って形成されており、左右方向の大きさ（長さ）は、７０ｍｍである。また、本実施形態のゼット吐水口２８の上下方向の大きさは、１０ｍｍである。
【００３５】
また、本実施形態では、ボウル部８の後方側の汚物受け面１６と排水路１２の上面とで挟まれた領域に、導水路１０からゼット吐水口２８に至るゼット通水路２６が形成されている。そして、そのようなゼット通水路２６に連続するように形成されたゼット吐水口２８の開口方向（吐水方向）は、上下方向に重複する排水路１２（上昇管路３２ａ）の上面側の前方端と後方側の汚物受け面１６の底部から連続して後方側へ延びる部分１６ｐとによって規定されており、本実施形態では、図１に示すように、水平方向である。ゼット吐水口２８の開口方向を規定する両部分の重複の前後方向の長さは、１５ｍｍ程度である。
【００３６】
次に、以上のような構成からなる本実施形態の作用について説明する。
【００３７】
使用者が操作スイッチ（図示せず）をＯＮ操作すると、貯水タンク３の排水口が開き、所定量の洗浄水が導水路１０内に流入する。当該洗浄水の一部は、リム通水路を介してリム吐水口２４から吐水されてボウル部８を洗浄し、当該洗浄水の他の一部は、ゼット通水路２６を介してゼット吐水口２８から吐水され、排水路１２のトラップ流路においてサイホン作用を生じさせ、汚物等を排出する。
【００３８】
本実施形態によれば、ゼット吐水口２８からのゼット吐水が、汚物の抵抗を受けにくい位置においてなされるため、より短時間でサイホン作用を起動することができる。
【００３９】
そして、本実施形態においては、従来構成と比較してゼット通水路２６の容積が顕著に低減されており、封水水面以下のゼット通水路２６の領域の容積は、１８０ｃｃにまで低減されている。これにより、顕著な節水効果を得ることができる。（図３及び図４に示した従来の水洗式大便器５０の封水水面以下のゼット通水路７６の領域の容積は、６０５ｃｃであり、図５及び図６に示した従来の水洗式大便器１５０の封水水面以下のゼット通水路１７６の領域の容積は、１１１５ｃｃである。
【００４０】
また、本実施形態においては、ゼット吐水口２８は、トラップ流路の上昇管路３２ａの下面側へ向けて（上昇管路３２ａの下面側と衝突するような方向に）開口しているため、トラップ流路の下面に沿った洗浄水の流れを形成することができ、より一層短時間でサイホン作用を起動することができる。
【００４１】
また、ゼット吐水口２８は、トラップ流路の上昇管路３２ａの上面側における左右方向の一端から他端に亘って形成されているため、便器本体２の前出を抑制しつつ、汚物による抵抗を受けにくい位置から効果的なゼット吐水をすることができる。
【００４２】
もっとも、少なくとも本願出願の時点においては、ゼット吐水口２８がトラップ流路の上昇管路３２ａの上面側における左右方向の一端から他端に亘って形成されていない態様も、本発明から排除されない。例えば、ゼット吐水口２８は、トラップ流路の上昇管路３２ａの上面側における左右方向の中央部のみに形成されていてもよいし、トラップ流路の上昇管路３２ａの上面側における左右方向の左右いずれかに寄った片方の領域のみに形成されていてもよい。更に、ゼット吐水口２８の個数も単一に限定されず、例えばトラップ流路の上昇管路３２ａの上面側における左右方向に複数形成されていてもよい。
【００４３】
なお、ゼット吐水口２８の開口方向（吐水方向）は、水平方向に限られず、２０°から２５°程度上向きであってもよい。ゼット吐水口２８の開口方向は、排水路１２（上昇管路３２ａ）の上面側の前方端の延在方向と、後方側の汚物受け面１６の底部から連続して後方側へ延びる部分１６ｐの延在方向とによって、ある程度の自由度をもって設計（設定）され得る。
【符号の説明】
【００４４】
１    水洗式大便器
２    便器本体
３    貯水タンク
８    ボウル部
１０    導水路
１２    排水路
１６    汚物受け面
１６ｐ  後方側の汚物受け面の底部から連続して後方側へ延びる部分
１８    リム部
１８ａ  内周面
２０    入口管路
２４    リム吐水口（吐水部）
２６    ゼット通水路
２７    ゼット吐水部
２８    ゼット吐水口（吐水開口）
３２    トラップ流路
３２ａ  上昇管路
３２ｂ  下降管路
５０、１５０    水洗式大便器
５２    便器本体
５３    貯水タンク
５８    便器本体のボウル部
６０    導水路
６２    排水路
６６    汚物受け面
６８    リム部
６８ａ  内周面
７０    凹部
７４    リム吐水口
７６、１７６    ゼット通水路
７６ｒ、１７６ｒ    折り返し部分
７８、１７８    ゼット吐水口
８２    導入管
８２ａ  上方へ延びる流路部分（上昇管路）
８２ｂ  下方へ延びる流路部分
【図１】
2017166155.tif 000003
【図２】
2017166155.tif 000004
【図３】
2017166155.tif 000005
【図４】
2017166155.tif 000006
【図５】
2017166155.tif 000007
【図６】
2017166155.tif 000008